(57)【要約】【課題】  引出しの大きさや配置の自由度が大きく、かつ部材の製作精度を緩和することができる。【解決手段】  左右１対の方立（縦板部材）５ｂ、５ｃと、これら方立５ｂ、５ｃの間で上下方向に水平に配置される１対の固定棚（横板部材）１１と、これら方立５ｂ、５ｃと固定棚１１とで形成される枠内で方立５ｂ、５ｃの各々に固定される平面視矩形状の引出し用側板１９と、この引出し用側板１９の奥行き方向４９に設けられるレール２１に沿って出し入れ可能な引出し２７とを備え、方立５ｂ、５ｃは引出し用側板１９が固定される面の上下方向に２列の複数のダボ穴７が形成され、固定棚１１は方立５ｂ、５ｃに対してこの方立５ｂ、５ｃの同じ高さ位置にあるダボ穴７を介して着脱可能に形成され、引出し用側板１９はこの下面を下側の固定棚１１の上面に載置した状態で方立５ｂ、５ｃに形成されるダボ穴７に嵌入可能なダボ２３を一つ有する。【選択図】              図７
2007195802.tif 000002
【特許請求の範囲】
【請求項１】
所定の距離を保って対向する左右１対の縦板部材と、該１対の縦板部材の間で上下方向に一定の距離を保って水平に配置される１対の横板部材と、前記１対の縦板部材と前記１対の横板部材とで形成される枠内で前記１対の縦板部材の各々に固定される引出し用側板と、該引出し用側板の奥行き方向に設けられるレールに沿って出し入れ可能な引出しとを備え、前記縦板部材は前記引出し用側板が固定される面の上下方向に２列以上の複数のダボ穴が等ピッチに形成され、各列のダボ穴は互いに同じ高さ位置に対応するように形成され、前記横板部材は前記縦板部材に対して該縦板部材の同じ高さ位置にあるダボ穴を介して着脱可能に固定され、前記引出し用側板は該引出し用側板の下面を前記１対の横板部材の下側の横板部材の上面に載置した状態で前記縦板部材に形成されるダボ穴に嵌入可能なダボを使用して位置決めされる引出し装置。
【請求項２】
請求項１において、前記引出し用側板は該引出し用側板の下面を前記１対の横板部材の下側の横板部材の上面に載置した状態で前記縦板部材に形成されるダボ穴に嵌入可能なダボを一つ使用して位置決めされる引出し装置。
【発明の詳細な説明】
【技術分野】
【０００１】
本発明は、住宅のクローゼットなどに設置する組立式収納家具に好適に利用できる引出し装置に関する。
【背景技術】
【０００２】
組立式収納家具に好適に利用できる引出し装置としては、たとえば下記特許文献１に開示されたものがある。この引出し装置は、本体外箱の側板および仕切板に形成された挿入孔とピンとを利用して仕切板を本体外箱に取り付け、さらに本体外箱の側板とこれに対向する仕切板にレールの付いた取付部材を固定し、この取付部材に引出しを取り付けるものである。
【特許文献１】実開平４−９３６１８号公報
【発明の開示】
【発明が解決しようとする課題】
【０００３】
しかしながら、この引出し装置は、本体外箱を利用するので、引出しの大きさは、最大で本体外箱の大きさに限定されてしまうという不都合があった。さらに、本体外箱の側板や仕切板に形成される挿入孔と、この挿入孔に適合するピンとを用い、仕切板の両端面に形成される長溝を利用するものであるので、本体外箱の高さと幅が小さいものであって比較的小型の引出し装置の場合には好適であるが、本体外箱の高さと幅が大きいものであって大型の引出し装置の場合には本体外箱の側板が反り易いので仕切板が外れるおそれがあり、引出しの大きさと配置に制約があった。
【０００４】
本発明が解決しようとする課題は、組立式収納家具において、引出しの大きさや配置の自由度が大きく、かつ部材の製作精度を緩和することができることである。
【課題を解決するための手段】
【０００５】
上記課題を解決するため本発明の引出し装置は、所定の距離を保って対向する左右１対の縦板部材と、該１対の縦板部材の間で上下方向に一定の距離を保って水平に配置される１対の横板部材と、前記１対の縦板部材と前記１対の横板部材とで形成される枠内で前記１対の縦板部材の各々に固定される引出し用側板と、該引出し用側板の奥行き方向に設けられるレールに沿って出し入れ可能な引出しとを備え、前記縦板部材は前記引出し用側板が固定される面の上下方向に２列以上の複数のダボ穴が等ピッチに形成され、各列のダボ穴は互いに同じ高さ位置に対応するように形成され、前記横板部材は前記縦板部材に対して該縦板部材の同じ高さ位置にあるダボ穴を介して着脱可能に固定され、前記引出し用側板は該引出し用側板の下面（または下端）を前記１対の横板部材の下側の横板部材の上面に載置した状態で前記縦板部材に形成されるダボ穴に嵌入可能なダボを使用して位置決めされることを特徴とする。
【０００６】
このようにすることにより、上下１対の横板部材は、左右１対の縦板部材の同じ高さ位置にあるダボ穴を介して着脱可能に固定されるので、左右１対の縦板部材と上下１対の横板部材とは一体的堅牢な枠状物となり、この枠状物の内側に確実に出し入れすることのできる引出しを形成することができると共に、１対の縦板部材は倒れることもなく安定した構造部材として機能する。さらに、必要により上下１対の横板部材を縦板部材から外して分解することもできる。この一体的堅牢な枠状物の中に引出しを設けるが、縦板部材の複数列のダボ穴は等ピッチに形成されるので、上下１対の横板部材の位置を任意に決定でき、これにともなって引出しの高さ位置を任意に決定できる。
【０００７】
上記枠状物の内側において、縦板部材に引出し用側板を固定する際には、引出し用側板の下面を１対の横板部材の内の下側の横板部材の上面に載置した状態で引出し用側板のダボを縦板部材のダボ穴に嵌合することにより引出し用側板の位置決めができる。この場合、引出し用側板のダボを一つとすることにより、一層簡単に引出し用側板の位置決めができる。この位置でビスなどにより引出し用側板を縦板部材に固定することができる。
【０００８】
上記のような位置決め方法は、縦板部材や引出し用側板の製作精度を緩和することができるとともに組み立てが簡単である。また、引出しは一体的堅牢な枠状物の内側に設けられるので、引出しの大きさが大でも小でも確実に機能する引出しが形成できる。このため、本引出し装置は、引出しの大きさや配置の自由度が大きい。
【０００９】
次に本発明を構成する各要件についてさらに詳しく説明する。本引出し装置は、組立式収納家具、特に住宅のクローゼット内部に設ける組立式収納家具などに好適である。
【００１０】
縦板部材は、組立式収納家具における側板、方立などである。１対の縦板部材は、所定の距離を保って対向して配置され、少なくとも対向面には２列以上の複数のダボ穴が設けられる。対向する１対の縦板部材の間の所定の距離は、引出しが挿入できる距離で、引出しの幅に略等しい。ダボ穴は、縦板部材の奥行き方向（縦板部材の幅方向）においては水平位置で互いに同じ高さ位置に形成される。
【００１１】
横板部材は、組立式収納家具における天板、固定式の棚板（固定棚）などである。１対の横板部材は、上下方向に一定の距離を保って配置される。上下１対の横板部材の間の一定の距離は、引出しが挿入できる距離で、複数の引出しの場合はそれらの合計高さに略等しい。横板部材が固定棚の場合には、その下面の四隅に縦板部材のダボ穴に対して着脱可能な着脱冶具が設けられると良い。着脱冶具としては、たとえば実公昭５９−３２３４３号公報に開示されている締付円盤７１／ビス７２、特開平８−１４４４９６号公報に開示されている雄具Ｆａ／雌具Ｆｂなどを使用することができる。
【００１２】
引出し用側板は、１対で用いられ、上下の位置関係にある複数の引出しを出し入れするために使用される。引出し用側板の縦板部材に対向する面（外側面）にはダボ穴が形成され、ダボ穴にダボが差し込まれる。ダボの数は複数でも良いが一つの場合の方が精度の緩和、組立性などの点から好ましい。引出し用側板の縦板部材に対向する面と反対側の面（内側面）には、その奥行き方向（または水平方向）にレールが設けられる。１枚の引出し用側板に設けるレールの数は引出しの数に一致する。レールの形状、材質は特に限定されないが、たとえば木質、合成樹脂質などの棒状レール、金属板で形成され断面コの字形の金属条などである。
【００１３】
引出しは、１対の引出し用側板のレール間に取り付けられるが、引出しの側板側に、上記レールに案内される長溝や突起あるいは金属板で形成され断面コの字形の転動輪付き受けレールなどを設けると良い。
【００１４】
縦板部材、横板部材、引出し用側板、引出しなどの材質は特に限定されないが、たとえば木質系、合成樹脂系または金属系あるいはこれらの複数種を組み合わせた材料で形成されても良い。
【発明の効果】
【００１５】
本発明の引出し装置によれば、引出しの大きさや配置の自由度が大きく、かつ部材の製作精度を緩和することができる。
【発明を実施するための最良の形態】
【００１６】
以下、本発明に係る引出し装置の実施形態を図面に基いて詳細に説明する。なお、図１〜８において、同一または同等部分には同一符号を付けて示す。
【実施例１】
【００１７】
図４は、本実施形態の引出し装置を利用したクローゼット内部収納家具１の斜視図である。クローゼット内部収納家具１は、天板３７、左右１対の側板（縦板部材）３９ａ、３９ｂ、方立（縦板部材）５ａ〜５ｃおよび下部横部材４５を有し、前面および底面開放の箱形形状として形成される。この場合、方立５ａ〜５ｃの上部は天板３７に対してはＬ形金具とビスなどで取り外し可能に固定され、方立５ａ〜５ｃの下部は下部横部材４５に形成されるダボ穴に対して着脱可能に固定される。下部横部材４５に形成されるダボ穴のピッチは一定である。これにより、方立５ａ〜５ｃの取り付けは、ダボ穴の１ピッチごとに移動可能である。
【００１８】
着脱冶具としては、先に挙げた実公昭５９−３２３４３号公報に開示されている締付円盤７１／ビス７２や特開平８−１４４４９６号公報に開示されている雄具Ｆａ／雌具Ｆｂなどを使用することができる。
【００１９】
クローゼット内部収納家具１において、左側の側板３９ａと方立５ａとの間、方立５ａと方立５ｂとの間、方立５ｂと方立５ｃとの間に、固定棚（横板部材）１１や可動棚４１を設けて棚収納部を構成する。もちろん、方立５ｃと右側の側板３９ｂとの間にも固定棚１１ないし可動棚４１を設けても良い。さらに、可動棚４１は、側板３９ａ、３９ｂや方立５ａ〜５ｃに設けたダボ穴に挿入されるピン上に係止される。また、左側の側板３９ａと方立５ａとの間、方立５ｃと右側の側板３９ｂとの間にはハンガーパイプ４３が設けられてハンガー収納部が形成される。
【００２０】
さらに、方立５ａ〜５ｃの前木口側の下端部分には滑り止め部材（図示せず）が貼着され、方立５ａ〜５ｃの下部が床に対して移動しにくくする。これら方立５ａ〜５ｃの前木口およびその近辺の両側面領域には略全長に亘って合成樹脂やアルミニウム合金などで形成された略Ｕ字形断面形状の保護キャップ４４で覆われる。クローゼット内部収納家具１の高さＨは、設置すべきクローゼット内部の高さ範囲内で任意の寸法とすることができる。
【００２１】
図１は、本発明に係る引出し装置の一実施形態を示し、図４に示すクローゼット内部収納家具１における方立５ｂと方立５ｃとの間の２つの引出しを有する引出し装置の正面図である。図２は、図１に示す引出し装置のＡ−Ａ線断面図である。図３は、図１に示す引出し装置のＢ−Ｂ線断面図である。図１に示すように、本実施形態の引出し装置３ａは、所定の距離Ｄを保って対向する左右１対の方立５ｂ、５ｃと、これらの方立５ｂ、５ｃの間で上下方向に一定の距離ｄを保って水平に配置される１対の固定棚１１とを備える。
【００２２】
図３から分かるように、方立５ｂは、引出し用側板１９が固定される面の上下方向に２列の複数のダボ穴７が等ピッチで形成され、各列のダボ穴７は互いに同じ高さ位置に対応するように形成される。ダボ穴７の奥行き方向４９における位置は、前縁寄りと後縁寄りである。方立５ｃについても、方立５ｂと同様に、同じ位置に同じ大きさのダボ穴列が形成される。
【００２３】
さらに、固定棚１１は、方立５ｂ（５ｃ）に対して方立の同じ高さ位置にあるダボ穴７を介して着脱可能に固定される。固定棚１１を方立５ｂ（５ｃ）に固定する着脱冶具としては、先に挙げた実公昭５９−３２３４３号公報や特開平８−１４４４９６号公報に開示されているものを使用することができる。
【００２４】
さらに、引出し装置３ａは、１対の方立５ｂ、５ｃと１対の固定棚１１とで形成される枠状物内側で１対の方立５ｂ、５ｃの各々に固定される平面視矩形状の引出し用側板１９と、これら引出し用側板１９の奥行き方向４９に設けられるレール２１に沿って出し入れ可能な引出し２７とを備える。
【００２５】
引出し２７は、図３に示すように、取手３３を取り付けた前板２９、側板３０、後板３１および底板３２を有する。さらに、後出の図７に示すように、左右２つの側板３０の外側にはレール２１に対する受けレール３４が取り付けられる。受けレール３４の奥側にはレール２１の本体に沿って転動する転動輪３５が受けレールごとに設けられる。
【００２６】
引出し用側板１９は、後出の図５に示すように、引出し用側板１９が固定される方立に対向する側と反対の側（内側）に２つのレール２１が引出し用側板１９の全幅より若干短い距離に亘って略水平方向に固定される。各レール２１は、異形コの字形の本体２１ａと、この手前側に位置する転動輪２２とを有する。
【００２７】
引出し用側板１９の方立に対向する側（外側）にダボ穴（図示せず）が形成され、このダボ穴にダボ２３が差し込まれる。引出し用側板１９のダボ穴は後出の図６に示すように、引出し用側板１９の下面２５を固定棚の上面１３に載置した状態で方立５ｂ、５ｃのダボ穴７に対応する高さ位置に形成される。このダボ穴７の奥行き方向４９における位置は任意である。
【００２８】
次に、本引出し装置３ａの組立方法について説明する。図５は、図１〜３に示す引出し装置３ａの組立方法を示し、引出し用側板１９に差し込まれたダボ２３を方立５ｂ、５ｃのダボ穴７に嵌合する直前の斜視図である。引出し用側板１９はこの引出し用側板の下面２５を１対の固定棚の内の下側の固定棚１１の上面に載置した状態で、引出し用側板に差し込まれたダボ２３を方立５ｂ、５ｃに形成されるダボ穴７に嵌合させる。
【００２９】
図６は、図５に続く引出し装置３ａの組立方法を示し、引出し用側板１９に差し込まれたダボ２３を方立５ｂ、５ｃに形成されるダボ穴７に嵌合させた状態を示す斜視図である。さらに、引出し用側板の下面２５を固定棚の上面１３に載置し、ダボ２３をダボ穴７に嵌入した状態で、引出し用側板１９を方立５ｂ、５ｃに対してビス２６により固定する。この実施形態では４本のビス２６を使用する。
【００３０】
図７は、図６に続く引出し装置３ａの組立方法を示し、方立５ｂ、５ｃに固定した引出し用側板１９のレール２１に引出し２７の受けレール３４を挿入する状態を示す斜視図である。引出し用側板１９間に引出し２７を挿入することにより引出し装置３ａの組み立てが完成する。
【００３１】
図８は、図４に示すクローゼット内部収納家具における４つの引出し（図示せず）を有する引出し装置３ｂを示し、方立５ａ、５ｂ、固定棚１１および引出し用側板１９の組立斜視図である。４つの引出しを有する引出し装置３ｂは、図１〜３に示す２つの引出しを有する引出し装置３ａに使用する引出し用側板１９を上下方向４７に２つ重ねて固定する。このようにして形成される左右４対のレール２１に、図示していない引出し２７を挿入することにより形成される。
【００３２】
次に、引出し装置３ａの作用について説明する。図７において、上下１対の固定棚１１（上側の固定棚は図示せず）は、左右１対の方立５ｂ、５ｃの同じ高さ位置にあるダボ穴７を介して着脱可能に固定されるので、左右１対の方立５ｂ、５ｃと上下１対の固定棚１１とは一体的堅牢な枠状物となる。さらに、必要により上下１対の固定棚１１を方立５ｂ、５ｃから外して分解することもできる。この一体的堅牢な枠状物の中に引出し２７を設けるが、各方立５ｂ、５ｃに形成される２列のダボ穴７は等ピッチであるので、上下１対の固定棚１１と引出し用側板１９をこのピッチごとに設定でき、これにともなって引出し２７の高さ位置を任意に決定できる。
【００３３】
上記枠状物の中において、方立５ｂ、５ｃに引出し用側板１９を固定する際には、引出し用側板の下面２５を１対の固定棚の内の下側の固定棚の上面１３に載置した状態で引出し用側板のダボ２３を方立のダボ穴７に嵌合することにより引出し用側板１９の位置決めができる。この際、引出し用側板のダボ２３を一つとすることにより、一層簡単に引出し用側板１９の位置決めができる。この位置でビス２６により引出し用側板１９を方立５ｂ、５ｃに固定することができる。
【００３４】
上記のような位置決め方法は、方立５ｂ、５ｃや引出し用側板１９の製作精度を緩和することができるとともに組み立てが簡単である。また、左右１対の引出し用側板１９は一体的堅牢な枠状物の中に固定されるので、引出し２７の大きさが大でも小でも確実に形成できる。このため、本引出し装置３ａは、引出しの大きさや配置の自由度が大きい。なお、引出し装置３ｂの作用についても引出し装置３ａの作用と同じであるので、その説明を省略する。
【００３５】
以上この発明を図示の実施例について詳しく説明したが、それを以ってこの発明をそれらの実施例のみに限定するものではない。要するに、この発明の精神を逸脱せずして種々改変を加えて多種多様の変形をなし得ることは云うまでもない。
【産業上の利用可能性】
【００３６】
本発明の引出し装置は、住宅のクローゼットなどに設置する組立式収納家具に好適に利用可能である。
【図面の簡単な説明】
【００３７】
【図１】本発明に係る引出し装置の一実施形態を示す正面図である。
【図２】図１に示す引出し装置のＡ−Ａ線断面図である。
【図３】図１に示す引出し装置のＢ−Ｂ線断面図である。
【図４】図１〜３に示す引出し装置を利用したクローゼット内部収納家具の斜視図である。
【図５】図１〜３に示す引出し装置の組立方法を示し、引出し用側板に差し込まれたダボを縦板部材のダボ穴に嵌合する直前の斜視図である。
【図６】図５に続く引出し装置の組立方法を示し、引出し用側板に差し込まれたダボを縦板部材のダボ穴に嵌合させた状態を示す斜視図である。
【図７】図６に続く引出し装置の組立方法を示し、縦板部材に固定した引出し用側板のレールに引出しを挿入する状態を示す斜視図である。
【図８】図４に示すクローゼット内部収納家具における４つの引出しを有する引出し装置を示し、方立、固定棚および引出し用側板の組立斜視図である。
【符号の説明】
【００３８】
１  クローゼット内部収納家具
３ａ、３ｂ  引出し装置
５ａ〜５ｃ  方立（縦板部材）
７  ダボ穴
１１  固定棚（横板部材）
１３  上面
１９  引出し用側板
２１  レール
２３  ダボ
２５  下面
２７  引出し
４７  上下方向
４９  奥行き方向
Ｄ  所定の距離
ｄ  一定の距離
【図１】
2007195802.tif 000003
【図２】
2007195802.tif 000004
【図３】
2007195802.tif 000005
【図４】
2007195802.tif 000006
【図５】
2007195802.tif 000007
【図６】
2007195802.tif 000008
【図７】
2007195802.tif 000009
【図８】
2007195802.tif 000010